(57)【要約】【課題】複数のアンテナを用いたダイバーシチ受信装置において、アンテナを共用して、複数のメディアを受信可能とする。【解決手段】判定装置により受信状態が良好と判定された場合には、各相互相関値の絶対値の中から、最も相互相関値の絶対値の小さいアンテナ系統を制御対象アンテナ系統として特定し、その制御対象アンテナ系統に対する重み係数を漸次、減少させる。各アンテナの各受信信号を第１メディアを受信する主たるダイバーシチ合成に用いる第１端子側と、その受信信号を他の第２メディアを受信する第２端子側とに切換て分岐させる。制御対象アンテナ系統の重み係数が所定値よりも小さくなった時に、受信信号を第２端子側に通過させ、判定装置により受信状態が不良と判定された場合には、制御対象アンテナ系統の受信信号を第１端子側に通過させる。【選択図】図１
2007208658.tif 000002
【特許請求の範囲】
【請求項１】
複数のアンテナで受信した各受信信号を各重み係数により重み付け加算して合成し、その合成信号と前記各アンテナの各受信信号との間の各相互相関値に基づいて前記各重み係数を演算して、各受信信号を合成するダイバーシチ受信装置において、
前記合成信号の受信状態を判定する判定装置と、
前記判定装置により受信状態が良好と判定された場合には、前記各相互相関値の絶対値の中から、最も相互相関値の絶対値の小さいアンテナ系統を制御対象アンテナ系統として特定し、その制御対象アンテナ系統に対する重み係数を漸次、減少させる重み係数減少装置と、
前記各アンテナの各受信信号又は前記各重み係数により重み付けられた各重み付け信号を第１メディアを受信する主たるダイバーシチ合成に用いる第１端子側と、その受信信号を他の第２メディアを受信する第２端子側とに切換て分岐させる切換装置と、
前記重み係数減少装置により制御されている前記制御対象アンテナ系統の重み係数が所定値よりも小さくなった時に、前記切換装置を制御して、前記受信信号を前記第２端子側に通過させ、前記判定装置により受信状態が不良と判定された場合には、前記制御対象アンテナ系統の前記受信信号又は前記各重み係数により重み付けられた各重み付け信号を前記第１端子側に通過させる制御装置と、
から成るダイバーシチ受信装置。
【請求項２】
前記判定装置は、前記制御対象アンテナ系統以外の相互相関値の絶対値の和が所定値よりも大きい場合に、受信状態を良好と判定し、所定値よりも小さい場合に、受信状態を不良と判定することを特徴とする請求項１に記載のダイバーシチ受信装置。
【請求項３】
前記制御装置は、前記制御対象アンテナ系統以外の各受信信号に係る重み係数を、その受信信号と前記合成信号との相互相関値に基づいて決定される重み係数に向けて漸増させることを特徴とする請求項１又は請求項２に記載のダイバーシチ受信装置。
【請求項４】
前記第２端子側に分岐される受信信号に関してダイバーシチ合成する第２ダイバーシチ合成装置を有することを特徴とする請求項１乃至請求項３の何れか１項に記載のダイバーシチ受信装置。
【発明の詳細な説明】
【技術分野】
【０００１】
本発明は、ダイバーシチ受信装置に関し、特に、共通のアンテナ群により異なるメディアの受信を可能にした受信装置に関する。本発明は、移動体通信に用いるのに有効である。
【背景技術】
【０００２】
従来、移動体通信において、下記特許文献１に示すように、複数のアンテナを用いて、各アンテナで受信した信号を、最大比合成や等利得合成によるダイバーシチ合成して、品質良く信号を受信する装置が知られている。
一方、車などの移動体において、放送信号を受信する場合には、例えば、ＴＶ信号の受信の他、ＦＭＶＩＣＳなどの交通情報を不定期に受信したい場合がある。通常、放送メディアが異なる場合には、それぞれの専用のアンテナが用いられていた。
【０００３】
【特許文献１】特許第３６９６０１３号公報
【発明の開示】
【発明が解決しようとする課題】
【０００４】
しかし、ＦＭＶＩＣＳなどの放送信号は、常時、受信する必要はなく、間欠的に受信できれば十分である。このような場合においても、そのシステム専用のアンテナを設置することが必要となり、設備利用上、無駄を生じていた。
そこで、本発明は、このような課題を解決するために成されたものであり、ダイバーシチ受信装置が複数のアンテナを用いていることと、主たる第１メディアの受信信号の受信強度に注目して、第２メディアの受信のための専用のアンテナを設けなくとも受信可能とすることで、設備利用効率を向上させることを目的とする。
【課題を解決するための手段】
【０００５】
上記の課題を解決するため請求項１に記載の手段によれば、複数のアンテナで受信した各受信信号を各重み係数により重み付け加算して合成し、その合成信号と前記各アンテナの各受信信号との間の各相互相関値に基づいて各重み係数を演算して、各受信信号を合成するダイバーシチ受信装置において、合成信号の受信状態を判定する判定装置と、判定装置により受信状態が良好と判定された場合には、各相互相関値の絶対値の中から、最も相互相関値の絶対値の小さいアンテナ系統を制御対象アンテナ系統として特定し、その制御対象アンテナ系統に対する重み係数を漸次、減少させる重み係数減少装置と、各アンテナの各受信信号又は各重み係数により重み付けられた各重み付け信号を第１メディアを受信する主たるダイバーシチ合成に用いる第１端子側と、その受信信号を他の第２メディアを受信する第２端子側とに切換て分岐させる切換装置と、重み係数減少装置により制御されている制御対象アンテナ系統の重み係数が所定値よりも小さくなった時に、切換装置を制御して、受信信号を第２端子側に通過させ、判定装置により受信状態が不良と判定された場合には、制御対象アンテナ系統の受信信号又は各重み係数により重み付けられた各重み付け信号を第１端子側に通過させる制御装置とから成るダイバーシチ受信装置である。
【０００６】
本発明は、通常は、ダイバーシチ合成により第１メディアの放送信号を受信している。そして、この状態において、第２メディアの放送信号を受信する必要が生じた時に、第１メディアの信号を受信可能状態にしたまま、第２メディアの信号を受信できるようにした受信装置である。第１メディアの信号の受信状態を判定する方法は各種の方法が存在する。合成信号の電力レベルが高い場合に、あるアンテナ系統を第２端子側に切り換えても、合成信号のＳ／Ｎ比の低下が小さく、受信可能な状態と判定できる場合がある。このためには、各受信信号と合成信号との間の相互相関値の絶対値の和の大きさで、判定する方法がある。さらに、第２端子側に切り換える制御対象アンテナ系統は、各受信信号と合成信号との間の相互相関値の絶対値のうちで、相互相関値の絶対値が最も小さい系統として特定することができる。相互相関値の絶対値は、各受信信号の電力やＳ／Ｎ比と関連しているので、これらの各受信信号の電力やＳ／Ｎ比が最も小さい系統を選択する場合も、受信信号と合成信号との相互相関値の絶対値が小さい系統を選択することと等価であり、本発明に含まれる。また、制御対象アンテナ系統が特定された場合には、その系統の重み係数が大きいまま急に切り換えると、ダイバーシチ合成信号の品質が低下するので、その系統の重み係数を徐々に低下させてから、その制御対象アンテナ系統を第２端子側に切り換える。
【０００７】
また、受信状態の判定は、制御対象アンテナ系統以外の系統の相互相関値の絶対値の和の大きさで判定しても良い（請求項２）。また、移動体通信を考えるとき、各アンテナの受信状態は時々刻々変化している。したがって、制御対象アンテナが特定されて、その系統の重み係数が漸次減少している時に、受信状態が最も悪いアンテナが変化する場合や、残りのアンテナによる受信信号のダイバーシチ合成では、第１メディアの信号を受信できない状態に変化する場合がある。前者の場合には、制御対象アンテナ系統は、第２端子側に切換られる前に、他のアンテナ系統が新たな制御対象アンテナ系統として選択される。後者の場合には、選択された制御対象アンテナ系統は、その選択が解除されて、第２端子側に切換られる前に、第１メディアの信号をダイバーシチ合成するために、復帰することになる。したがって、制御対象アンテナ系統以外のアンテナ系統の重み係数に関しては、その系統の受信信号と合成信号との間の相互相関値に基づいて決定される重み係数に向けて漸次増加させるように作用させることが望ましい（請求項３）。重み係数の最大値は、重み係数に関して上記の減少操作をせずに、通常のダイバーシチ合成をしている期間において、相互相関値に基づいて決定する重み係数である。また、第２端子側に切換られた信号に関しても、ダイバーシチ合成することが望ましい（請求項４）。たとえば、制御対象アンテナ系統の選択を複数まで許可した場合に、第２端子側に切り換えるられるアンテナ系統が複数存在する場合に、各アンテナの受信信号をダイバーシチ合成することで、第２メディアの信号に対しても高品質で受信することが可能となる。
【発明の効果】
【０００８】
本発明は、第１メディアの信号を受信している時に、受信アンテナの数を減少しても、その信号の高品質での復調が可能である場合に、合成信号に対する相互相関値の絶対値が最も小さい受信信号、したがって、受信電力が最も小さい、又は、Ｓ／Ｎ比が最も小さい受信信号を出力するアンテナを第２メディアの信号を復調するために切り換えることができる。
この結果、同一アンテナ群を用いたダイバーシチ受信装置で、第１メディアの受信状態が良好な場合には、複数のメディアの信号を復調することができる。よって、受信装置の設備利用効率が向上する。また、制御対象アンテナ系統の重み係数は、制御対象として特定された時から、漸次、減少させるようにして、所定値より小さくなった時に、その制御対象アンテナ系統を第２端子側に切り換えるようにしている。したがって、切換に際して、第１メディアの受信状態が損なわれることがない。
【０００９】
第１メディアの受信状態が良好か否かの判定は、制御対象アンテナ系統以外の相互相関値の絶対値の和が所定値よりも大きい場合に、良好と判定し、所定値よりも小さい場合に不良と判定することで、制御対象アンテナ系統を第１メディアのダイバーシチ合成から切断しても、良好な受信の状態を正確に予測することができる。このため、切換に際して、第１メディアの受信状態を劣化させることがない（請求項２）。
【００１０】
また、制御対象アンテナ系統以外の系統の重み係数は、その系統の受信信号と合成信号との間の相互相関値に基づいて決定される重み係数に向けて漸次増加させるように作用させているので、制御対象アンテナ系統が特定されてから、そのアンテナが第１メディアのダイバーシチ合成に復帰する時に、重み係数が急変しないために、第１メディアの受信状態を良好に維持することができる（請求項３）。もちろん、その系統の重み係数が、通常の方法で相互相関値に基づいて決定される重み係数である場合には、その値となり、重み係数の漸増操作はない。
また、第２メディアに対しても、第２端子側に切り換えられたアンテナ系統の受信信号に対してダイバーシチ合成することで、品質の高い復調が可能となる（請求項４）。
【発明を実施するための最良の形態】
【００１１】
以下、本発明を具体的な実施例に基づいて説明する。ただし、本発明は以下に示す実施例に限定されるものではない。
【実施例１】
【００１２】
図１は、本実施例１のダイバーシチ受信装置１の論理的なシステム構成図である。本実施例では、ｎ個のアンテナＡ１〜Ａｎ（２≦ｎ）が用いられている。各アンテナＡ１〜Ａｎには、周波数変換器（チューナー）１１〜１ｎが接続されている。たとえば、第１メディアがＴＶ信号であれば、所定の選局すべきチャネルの信号は中間周波数帯域に変換される。本実施例では、この中間周波数帯域に変換した信号で処理される。なお、本実施例では、ディジタル処理による装置であるので、各アンテナＡ１〜Ａｎで受信された高周波信号を選局する局の周波数に対応した周波数でサンプリングすることで、中間周波数帯域に変換されたディジルタ信号を得るようにしている。なお、高周波信号をサンプリングしてディジタル信号を得た後に、ディジタル処理で中間周波数帯域に変換しても、また、高周波信号をアナログ回路で、一旦、中間周波数帯域に変換し、その中間周波数帯域の信号をサンプリングしてディジタル信号に変換するようにしても良い。また、本実施例での処理は、ベースバンド（ＯＦＤＭであれば、多数キャリア群）信号に変換してから、処理をするようにしても良い。なお、信号は、直交復調の後の実部と虚部との２つの信号成分から成る複素数信号とする。
【００１３】
また、ディジタル値で処理する部分は、コンピュータシステムにより実現できるものである。本実施例では、アナログ信号で中間周波数帯域に周波数変換した後、サンプリングしてディジタル信号としているので、図１の信号制御部１０は、全て、コンピュータシステムにより実現されている。また、復調器５１は、中間周波数帯域のサンプリングされたディジタルの信号を、ＯＦＤＭのベースバンド信号に変換した後、ＦＦＴにより各サブキャリアの振幅位相情報が抽出されて、復号化する装置である。また、復調器５２は第２メディアに対応した復調を行う装置である。
【００１４】
各周波数変換器１１〜１ｎの出力信号は、切換器２１〜２ｎに出力され、切換器のａ接点側（第１端子側）は、複素乗算器３１〜３ｎに接続されている。また、複素乗算器３１〜３ｎの各出力は、合成器４０に入力して、合成される。また、合成器４０の合成出力信号は、相関演算装置４１に入力し、各アンテナ系統の受信信号Ｒ1 〜Ｒn との相互複素相関積分値が演算される。相関演算装置４１が演算した各相互複素相関積分値は、重み係数演算装置４２に出力されて、各アンテナ系統の複素重み係数が演算される。なお、重み係数を演算する方法としては、上記特許文献１に記載の方法を用いることができる。
【００１５】
各アンテナＡ１〜Ａｎで受信された各信号Ｒ1、Ｒ2、…、Ｒnは、各複素乗算器３１〜３ｎにより、各複素重み係数Ｗ1 、Ｗ2 、…、Ｗn が乗算されて、合成器４０に出力される。したがって、合成器４０の出力する合成信号Ｓは、
（数１）
Ｓ＝Ｗ1 Ｒ1＋Ｗ2 Ｒ2＋…＋Ｗn Ｒn
となる。
【００１６】
次に、相関演算装置４１では、次式により、次のタイミングでの複素重み係数Ｗi(1) が演算される。右肩の＊で複素共役を示す。すなわち、重み係数は相互相関値の関数として演算される。
（数２）
Ｗi(1) ＝ｆ（Ｘi (1))
（数３) 
Ｘi(1) ＝∫ＲiＳ*dt
なお、関数ｆは、任意であるが、相互相関値の移動平均（ことなる２時点での相互相関値の忘却係数αによる内挿値）、正規化された相互相関値（ある系統の相互相関値／各系統の相互相関値の絶対値の和）など、任意の関数を選択することができる。また、積分区間は任意であるので示さないが積分は定積分を示す。すなわち、合成信号Ｓとの相互相関値の絶対値が大きい受信信号の複素重み係数が大きくなる。このようにして、求められた複素重み係数Ｗi (1) を用いて、次のタイミングでの合成信号Ｓを数１で求める。そして、その合成信号Ｓに対して、数２、数３により、そのタイミングでの各受信信号Ｒ1、Ｒ2、…、Ｒnに対する複素重み係数Ｗ1 (2) 、Ｗ2(2) 、…、Ｗn(2) を求めるという演算を、時間に対して逐次フィードバックして演算する。
【００１７】
その結果、合成信号Ｓには、それと相関の高い受信信号のみが選別され、相関の低い受信信号は排除されるようになる。このようにして、所望の受信信号だけをダイバーシチ合成することができる。なお、数３の相関演算を実施する場合には、各受信信号を時間軸上でスライドさせて、最も相関値が高くなるスライド時間を決定して、このスライド時間だけ受信信号をスライドさせた後、合成するようにしても良い。すなわち、スライディング相関をとることで、最も相関が高くなるような合成を行うことで、より受信品質を改善することができる。たとえば、あるアンテナにおいて、遅延波が強く受信されている場合に、そのアンテナに関しては遅延波を合成信号に寄与させることで、より受信品質の高い受信が可能となる。
【００１８】
本実施例では、このようなダイバーシチ合成において、数３の相互相関値の絶対値が最も小さい受信信号を合成せずに、残りのｎ−１の受信信号を合成しても十分に受信品質が高い場合も有り得る。このような場合に、第２メディアの受信要求があった時には、このアンテナによる受信信号をその第２メディアの受信に使用するようにしたものである。たとえば、第２メディアとしてはＦＭＶＩＣＳの放送信号が考えられる。このＦＭＶＩＣＳは、車の走行時に、常時、受信している必要はなく、間欠的に、受信できれば十分であるので、本実施例において、第１メディアの受信状態が良好な状態の時に、受信すれば良い。また、残りのｎ−１の受信信号の合成による受信品質が低下した場合には、再度、第２メディアの受信を中断して、全ｎ個の受信信号により第１メディアだけをダイバーシチ合成をするようにしている。
【００１９】
ｎ−１個の受信信号の合成でも受信品質が高いか否かは、数３の相互相関値の絶対値が最も小さい受信信号を除く、ｎ−１個の受信信号の数３の相互相関値の絶対値の和が所定値Ｌよりも大きいか否かで判定する。
【００２０】
また、受信信号の合成を切り換える場合に、合成信号を不連続的に変化させないように、切断する受信信号の複素重み係数を徐々に小さくして、切断しても、合成信号への影響が十分に小さくなる状態で、この受信信号を合成せずに切断するようにする。最も望ましい状態としては複素重み係数を零にしてから切断することである。
【００２１】
次に、信号制御部１０（コンピュータシステム）の動作手順について、図２のフローチャートを参照して説明する。
ステップ１００において、全てのアンテナ素子の受信信号に対する調整係数βi を１に初期設定する。受信信号Ｒi は、βi Ｗi を重み係数として乗算される。以下、βi Ｗi を調整された重み係数という。なお、請求項での重み係数は、現実の合成信号の生成に用いられるこの調整された重み係数βi Ｗi を指している。
【００２２】
したがって、合成信号Ｓは、次式で与えられる。
（数４) 
Ｓ＝β1 Ｗ1 Ｒ1＋β2 Ｗ2 Ｒ2＋…＋βn Ｗn Ｒn
【００２３】
ｎ個のアンテナで、通常のダイバーシチ合成をしている時には、全ての調整係数βi は１である。次に、ステップ１０２において、数３により相互相関値Ｘi と、数２により重み係数Ｗi と、調整された重み係数βi Ｗi が演算されて、数４により、調整された重み係数βi Ｗi により各受信信号Ｒi を重み付け加算演算を行ってダイバーシチ合成を行う。
【００２４】
次に、ｎ個の複素相関値の絶対値｜Ｘ1 ｜〜｜Ｘn ｜の中から、最小値を与える制御対象アンテナ系統ｊを決定する。そのアンテナ系統ｊの調整された重み係数の絶対値をＴmin とする。
また、ｎ個の相互相関値の絶対値の総和をＶとする。
（数５）
Ｖ＝｜Ｘ1 ｜＋｜Ｘ2 ｜＋…＋｜Ｘn ｜
となる。
【００２５】
次に、ステップ１０６において、ｎ個の相互相関値の絶対値の総和Ｖから、その中の最小値Ｔmin （＝｜Ｘj ｜）を減算した値（Ｖ−Ｔmin ）を演算し、この値が所定値Ｌよりも大きいか否かが判定される。すなわち、制御対象アンテナ系統ｊを切断して、残りのｎ−１個のアンテナによるダイバーシチ合成をしても十分な受信品質が得られるか否かを、ｎ−１個の相互相関値の絶対値の和で判定する。
【００２６】
Ｖ−Ｔmin ＞Ｌと判定されると、ステップ１０８において、第２端子ｂ側に切り換える制御対象アンテナ系統ｊの調整係数βj が０．１だけ減少される。また、残りのｎ−１個の系統の調整係数βi は、０．１だけ増加される。ただし、βi の最大値は１とし、βj の最小値は０とする。
【００２７】
次に、ステップ１１０において、第２端子ｂ側に切り換える制御対象アンテナ系統ｊの調整された重み係数の絶対値｜βj Ｗj ｜が所定値Δよりも小さいか否かが判定される。所定値よりも小さくない場合には、ステップ１０２に戻り、次のタイミングでのダイバーシチ合成が行われる。そして、ステップ１０２〜１１０が繰り返されて、ステップ１０８の操作により、調整係数βj は減少し、ステップ１１０の条件が満たされるようになる。このループの間で、ステップ１０４で新たにアンテナ系統が決定されと、そのアンテナ系統が制御対象アンテナ系統ｊとなって変化し、ステップ１０８の調整係数の漸減の処理が実行され、他のアンテナ系統に関する調整係数に関しては漸増の処理が実行される。すなわち、前回の制御対象アンテナ系統の調整係数は、今回は、制御対象ではなくなるので、その調整係数は漸増することになる。
そのような、ステップ１０２〜１１０のループにおいて、ステップ１１０において、制御対象アンテナ系統の調整された重み係数の絶対値｜βj Ｗj ｜が所定値Δよりも小さくなると、次のステップ１１２が実行される。この値が所定値よりも小さくなった場合には、その制御対象アンテナ系統ｊをダイバーシチ合成から切断しても、合成に対する影響が少ないとして、ステップ１１２において、制御対象アンテナ系統ｊの重み係数Ｗj を０とし、調整係数βj を０とする。次に、ステップ１１４において、切換器２ｊを第２端子ｂ側に操作して、その制御対象アンテナ系統ｊをダイバーシチ合成から切断する。
【００２８】
次に、ステップ１１６に移行して、Ｖ−Ｔmin ＞Ｌが判定される。ステップ１１６が最初に実行される場合には、アンテナ系統ｊは切断されているので、Ｔmin ＝０である。よって、ステップ１１６の判定は、ｎ−１個の受信信号における相互相関値の絶対値の和が所定値Ｌより大きいか否かの判定となり、大きい場合には、ステップ１１８に移行して、制御対象アンテナ系統ｊを除くｎ−１個のアンテナ系統に関して数４のダイバーシチ合成が行われる。そして、ステップ１２０に移行して、それらのダイバーシチ合成に関与するアンテナ素子の調整係数βi が０．１だけ増加されと共に、次のタイミングで、数３により複素相互相関値Ｘi と、数２により複素重み係数Ｗi が演算される。調整係数βi の最大値は１である。そして、ステップ１１６〜１２０が繰り返し実行される。すなわち、調整係数βi が１まで漸増し、１となってその変動がなくなると、全ての調整係数βi が１となった状態で、ｎ−１個のアンテナによるダイバーシチ合成が良好である期間、ｎ−１個のアンテナの受信信号によるダイバーシチ合成がステップ１１８において継続して行われることになる。
【００２９】
一方、ステップ１１６で、Ｖ−Ｔmin ＞Ｌが満たされなくなると、ｎ−１個のアンテナによるダイバーシチ合成による受信状態が劣化したことを意味している。したがって、ステップ１２２に移行して、切換装置２ｊを第１端子ａ側に切り換えて、制御対象アンテナ系統ｊをダイバーシチ合成側に接続する。そして、ステップ１２４に移行して、全ての調整係数βi について、０．１だけ増加させる。ただし、最大値は１である。そして、ステップ１０２に戻り、ｎ個のアンテナによるダイバーシチ合成に戻る。
【００３０】
このようにして、相互相関値の絶対値｜Ｘj ｜  が最小の制御対象アンテナをダイバーシチ合成から切り離して、残りのｎ−１個のアンテナ素子によるダイバーシチ合成で、良好な受信が可能と判定される場合には、そのｎ−１個のアンテナ素子によるダイバーシチ合成が行われる。そして、切り離された制御対象アンテナ系統ｊは、別の第２メディアに対する復調器５２に接続されて、それにより復調されて、第２メディアの受信が可能どなる。
【００３１】
なお、切り離すアンテナ系統の数は、１以上としても良い。１以上として、他の複数のメディアに対応させるようにしても良い。なお、特許請求の範囲における判定装置は、ステップ１０６及び１１６で実現され、重み係数減少装置は、ステップ１０４、１０８で実現され、切換装置は切換器２１〜２ｎ及びステップ１１４、１２２で実現され、制御装置は、ステップ１１０、１１４、１１６、１２２で実現される。また、図１の合成器４０は、ステップ１０２、１１８で構成される。複素乗算器３１〜３ｎ、相関演算装置４１、重み係数演算装置４２は、それぞれ、コンピュータによる処理手順であるβi Ｗi Ｒi の演算、数３による演算、数２及びβi Ｗi の演算により実現される。
【実施例２】
【００３２】
図３は、実施例２に係るダイバーシチ受信装置２の構成を示すブロック図である。実施例１と同一構成部分には同一番号を付した。この場合には、切り離す制御対象アンテナ系統を１以上とし、２以上の制御対象アンテナ系統を切り離した場合に、その切り離されたアンテナ系統の複数の受信信号に対してダイバーシチ合成をするようにした装置である。したがって、各アンテナの各受信信号に対して２系統のダイバーシチ合成が実行される。すなわち、信号制御部２０は、複素乗算器３０１〜３０ｎと、合成器４０１、重み係数演算装置４２１、相関演算装置４１１から成る別のダイバーシチ合成系統を有している。そして、合成器４０１の出力信号と、各アンテナの受信信号との間の複素相互相関値が演算されて、重み係数が決定される。このように構成すれば、他の第２メディアの受信に対してもダイバーシチ合成することができる。この場合に、主とする第１メディアの第１ダイバーシチ合成系統では、受信品質が低下しない限り、順次、調整された重み係数の小さいアンテナ系統から順次、切断される。そして、そのアンテナ系統は、他の第２メディアのダイバーシチ受信系統に接続される。また、第１ダイバーシチ合成系統の受信状態が低下すれば、第２ダイバーシチ合成系統のアンテナ系統の中から、順次、第１ダイバーシチ合成系統に切り換えられる。
【実施例３】
【００３３】
図４は、図３の実施例２に対して、重み係数が重み付けられた後の信号を、第１ダイバーシチ合成系統から、第２ダイバーシチ合成系統に切り換えるようにしたことが特徴である。実施例２と同一の構成部分には同一番号を付した。信号制御部３０は、第１メディアの受信信号を復調する系統と、第２メディアの受信信号を復調する系統との２系統が存在する。相関演算装置４０２、重み係数演算装置４２は、実施例１、２と同様に、合成器４０の出力する合成信号と各受信信号との複素相互相関値を演算して、各重み係数を演算する。第２メディアの系統は、複素乗算器３１〜３ｎの出力のうち、切換器２０１〜２０ｎで切換えられたアンテナ系統の出力を合成器４０２で合成する。そして、相関演算装置４０２は、第１メディア系統の合成信号と、第２メディア系統の合成信号とを入力して、それぞの系統の受信信号毎に複素相互相関値を演算して、第１メディア系統と第２メディア系統の各受信信号に対する重み係数を演算する。この構成によると、相関演算装置、重み係数演算装置、複素乗算器が一つで済むことになる。重み係数は、第１ダイバーシチ合成系統に属する信号と、第２ダイバーシチ合成系統に属する信号と、それぞれ、独立に計算されることになる。
【産業上の利用可能性】
【００３４】
本発明は、複数のメディアを同一のアンテナ群を有したダイバーシチ受信装置で受信することができ、移動体通信に有効である。
【図面の簡単な説明】
【００３５】
【図１】本発明の具体的な実施例１の装置の構成を示したブロック図。
【図２】同実施例装置の信号制御部の動作特性を示したフローチャート。
【図３】本発明の具体的な実施例２の装置の構成を示したブロック図。
【図４】本発明の具体的な実施例３の装置の構成を示したブロック図。
【符号の説明】
【００３６】
１，２，３…ダイバーシチ受信装置
Ａ１〜Ａｎ…アンテナ
１１〜１ｎ…周波数変換器
２１〜２ｎ…切換器
３１〜３ｎ，３０１〜３０ｎ…複素乗算器
４０，４０１…合成器
４１…相関演算装置
４２，４０２…重み係数演算装置
２００  …  ダイバーシチ受信装置（第１実施例）
３００  …  ダイバーシチ受信装置（第２実施例）
４００  …  ダイバーシチ受信装置（第３実施例）
【図１】
2007208658.tif 000003
【図２】
2007208658.tif 000004
【図３】
2007208658.tif 000005
【図４】
2007208658.tif 000006